(57)【要約】【課題】釣り用具をセッティングする際の操作性の向上を図ると共に、確実なセッティングによる緩みの防止を図ることのできる釣り用具を提供すること【解決手段】元竿管１２に螺合する尻栓１４に小径部４２を介して固定される大径部４４と、この大径部４４から突出して元竿管１２の解放部２８の内面との間で摺動抵抗を形成する突部４６とを有する摺動部材４０を備え、この突部４６は、尻栓１４の締め付け方向における摺動抵抗よりも大きな摺動抵抗を戻し方向で形成する釣竿。【選択図】    図３
2004254607.tif 000002
【特許請求の範囲】
【請求項１】
互いに螺合する２つの部材を備えた釣り用具であって、前記２つの部材のうちの一方の部材に設けられる本体部と、この本体部から突出して他方の部材との間で摺動抵抗を形成する摺動部とを有する摺動部材を備え、この摺動部材の摺動部は、２つの部材の締め付け方向における摺動抵抗よりも大きな摺動抵抗を戻し方向で形成することを特徴とする釣り用具。
【請求項２】
前記摺動部は、本体部の外周部上で、戻し方向側に傾斜し、他方の部材の内周に摺接する複数の突部を有することを特徴とする請求項１に記載の釣り用具。
【請求項３】
前記摺動部は、締め付け方向側に形成された緩傾斜面と戻し方向側に形成された急傾斜面とを有する複数の突部を有することを特徴とする請求項２に記載の釣り用具。
【請求項４】
前記他方の部材は、前記突部が係合可能な少なくとも１つの溝を有することを特徴とする請求項２又は３に記載の釣り用具。
【請求項５】
前記摺動部は、外方に付勢されて本体部の外周部から突出し、前記他方の部材の内周部に当接する少なくとも１つの突部を有し、前記他方の部材の内周部は、前記締め付け方向側に形成された緩傾斜面と戻し方向側に形成された急傾斜面とを有する複数の軸方向溝を有することを特徴とする請求項１に記載の釣り用具。
【発明の詳細な説明】
【０００１】
【発明の属する技術分野】
本発明は、釣り用具に関し、特に、互いに螺合する２つの部材を備えた釣り用具に関する。
【０００２】
【従来の技術】
従来の釣り用具には、竿尻の解放部に螺合する尻栓に、竿尻の内周面と接触するＯリング状の弾性体を装着し、竿尻に対して尻栓を回動させるときに、竿尻の内周面との間で摺動抵抗を形成するものがある（例えば特許文献１参照）。
【０００３】
【特許文献１】
実公平２−８７４６３号公報
【０００４】
【発明が解決しようとする課題】
しかし、特許文献１の弾性体は、滑らかな外周面を有する環状体であるため、例えば尻栓を竿尻の開放部内に締め込むときと、緩めるときとで同じ大きさの摺動抵抗を形成する。このため、弾性体の外径を大きくして竿尻の内周面との間の摺動抵抗を大きくすると、尻栓が緩み難く、尻栓の脱落を抑制することができるが、しかし、この尻栓を締め込むときに大きな摺動抵抗に対抗する大きな力を必要とし、締め込み操作が面倒で扱い難い。逆に、弾性体の外径を小さくして尻栓の締め込みを容易とすると、この場合には摺動抵抗が小さいために尻栓が緩み易く、釣り操作中に尻栓が緩んで脱落する虞があり、円滑な釣り操作を阻害することになる。しかも、弾性体の外径によって、竿尻を固定する力が大きく変動し、その調整が困難である。
【０００５】
本発明は、上述のような事情に基づいてなされたもので、釣り用具をセッティングする際の操作性の向上を図ると共に、確実なセッティングによる緩みの防止を図ることのできる釣り用具を提供することを目的とする。
【０００６】
【課題を解決するための手段】
上記目的を達成する本発明の釣り用具は、互いに螺合する２つの部材を備えた釣り用具であって、前記２つの部材のうちの一方の部材に設けられる本体部と、この本体部から突出して他方の部材との間で摺動抵抗を形成する摺動部とを有する摺動部材を備え、この摺動部材の摺動部は、２つの部材の締め付け方向における摺動抵抗よりも大きな摺動抵抗を戻し方向で形成することを特徴とする。
【０００７】
【発明の実施の形態】
図１から図３は、本発明の好ましい実施形態による釣り用具を示す。本実施形態の釣り用具は、例えば海釣り用の磯上物竿である釣竿１０として形成してあり、特に元竿管１２の竿尻に形成した解放部に螺合する尻栓１４に用いてある。
図１にその全体の概略を示すように、本実施形態の釣竿１０は、竿尻に尻栓１４を螺合した大径の元竿管１２を有し、穂先側の穂先竿管１６から竿尻側に順に第１，第２，第３中竿管１８，２０，２２を継合わせて形成してある。これらの穂先竿管１６及び各中竿管１８，２０，２２は、基端外周面と先端内周面との各継合部Ｐ１〜Ｐ４で継合される振り出し構造であって、元竿管１２に収納することができる。これらの各竿管は、強化繊維に合成樹脂を含浸させた繊維強化プリプレグ（ＦＲＰ）を芯金に巻回した後、硬化、脱芯等の通常の工程を経て形成される。
【０００８】
元竿管１２と穂先竿管１６との間の中竿管の継数については上述の３本に限定されることはない。また、例えば第２，第３中竿管を省略して、第１中竿管１８を元竿管１２に継合させてもよく、元竿管１２と第３中竿管２２とを並継ぎにする等、部分的に並継ぎ構造を採用してもよい。また、元竿管１２の竿尻側に握り部１３を設けてあるが、この握り部１３の形態も図示のものに限定されることはなく、省略することも可能である。更に、元竿管１２の後方に、更に大径の竿管を設けることも可能である。
【０００９】
本実施形態の釣竿１０は中通し式に形成してあり、元竿管１２には、各種のリールを固定するリールシート２４が設けられ、この穂先側には、リールから延びる釣糸を側面から竿管内部に導入する釣糸導入ガイド２６が糸巻き等、公知の固定手段によって取付けられている。そして、釣糸導入ガイド２６から元竿管１２内に導入された釣糸は、第１，第２，第３中竿管１８，２０，２２および穂先竿管１６内を、それぞれの竿管内に設けられた釣糸ガイドで案内され、穂先竿管１６の先端に着脱自在に設けられるのが好ましいトップガイド１７から外部に導出される。これにより、リールから繰出された釣糸は、糸抵抗を低減された状態で釣竿１０の内部を挿通される。なお、このように釣糸を竿管の内部に沿って案内する中通し式に代え、竿管の外側に沿って案内する外通し式としてもよい。
【００１０】
図２に詳細に示すように、元竿管１２の竿尻には雌ねじを形成した解放部２８を形成してあり、この解放部２８を介して上述の穂先竿管１６および中竿管１８〜２２を元竿管１２に出し入れすることができる。そして、この解放部２８を閉じる尻栓１４は、元竿管１２に螺合される竿尻リング３０と尻栓キャップ３２とを有し、この尻栓キャップ３２は合成ゴムあるいは天然ゴム等の弾性材で形成され、竿尻リング３０と竿尻キャップ３２は解放部２８の後端部に着脱自在に連結される。
【００１１】
竿尻リング３０は、元竿管１２内に挿入される筒状部３４に、解放部２８の雌ねじと螺合する雄ねじを形成され、この筒部３４の後端側から半径方向外方に突出するフランジ部３６の外周面には、刻み目３６ａを形成し、脱着する際の取扱い操作を容易にしてある。この竿尻リング３０は、フランジ部３６の後端側に、尻栓キャップ３２を取付ける周方向溝３８を形成し、先端側には、元竿管１２の内周面と摺動する摺動部材４０が固定されている。
図３に示すように、本実施形態の摺動部材４０は、小径部４２と大径部４４とを有する段付き構造のディスク状本体部を備えており、図２に示すように、この小径部４２が竿尻リング３０の筒状部３４の先端に嵌合され、大径部４４がこの筒状部３４の先端から突出する。この大径部４４の外径は、筒状部３４の外径とほぼ同じかあるいはこれよりも僅かに小径に形成するのが好ましい。
【００１２】
この摺動部材４０の筒状部３４から突出する大径部４４の外周部上には、摺動部として、図３の（Ｂ）に示すように多数の突部４６がほぼ等間隔に配置されている。これらの突部４６の先端部は、自然の状態で、尻栓１４の螺合相手である元竿管１２の内面よりも大径の円を形成する。したがって尻栓１４と共に元竿管１２の解放部２８に螺合したときに、この突部４６の先端部が解放部２８の内面に接触し、この内面を半径方向外方に押圧することができる。また、これらの突部４６は、大径部４４の半径方向に沿って突出するのではなく、解放部２８の雌ねじに尻栓１４を捩じ込む締め付け方向（矢印Ａの方向）側とは逆の戻し方向側に傾斜する。例えば筒状部３４の外周部に形成した雄ねじが右ねじの場合には、図３の（Ｂ）に示すように基端側から先端側を見た状態で、筒状部３４の戻し方向側である左側に傾斜する。逆に、筒状部３４の雄ねじが左ねじの場合には、図３の（Ｂ）に示す傾斜方向とは反対方向すなわち矢印Ａで示す方向側に傾斜する。なお、このような突部４６を雌ねじ側に設ける場合も、突部４６の傾斜方向は、この雌ねじの締め付け方向とは逆の戻し方向側に傾斜させた状態に配置する。
【００１３】
このように螺合する際の締め付け方向とは逆の戻し方向側に傾斜した突部４６は、尻栓１４を元竿管１２の開放部２８に捩じ込む際、図３の（Ｂ）に示す矢印Ａの方向に回転すると、先端部が元竿管１２の内周面に沿って摺動し、傾斜方向と同じ方向の摩擦抵抗がこの先端部に作用する。この摩擦抵抗は、突部４６の先端部を大径部４４の半径方向内方に移動させるように作用し、開放部２８の内面に対する押圧力を減じる。したがって、尻栓１４を開放部２８の雌ねじに螺合する際、摺動部材４０は元竿管１２から大きな摺動抵抗を受けることはない。
【００１４】
一方、図２に示す締め付け状態から、尻栓１４を緩める方向すなわち図３の（Ｂ）の矢印Ａとは反対の戻し方向に回転すると、突部４６の先端部の摩擦抵抗は、突部４６の傾斜方向とは逆方向すなわち突部４６を逆立たせあるいは立上がらせる方向に作用し、解放部２８の内面に対する押圧力を増大する。したがって、尻栓１４を開放部２８からねじ戻そうとすると、摺動部材４０は元竿管１２から大きな摺動抵抗を受ける。この摺動抵抗は、突部４６の先端部が開放部２８の内面と接触している限りほぼ同じ大きさで持続する。このため、釣り操作中に尻栓１４の緩みが防止されると共に、仮に、ある程度緩んだ状態であっても、脱落を防止することができる。
【００１５】
このような摺動部材４０の締め付け方向の摺動抵抗が小さく、戻し方向の摺動抵抗が大きい特性は、突部４６と解放部２８の内面とが接触しているときに常に得ることができる。したがって、この摺動部材４０は、高度の寸法精度を必要とすることなく、尻栓１４の安定した固定力を形成することができる。
これにより、尻栓１４をセッティングする際の操作性の向上を図ると共に、その安定した固定力を通じた確実なセッティングによる緩みの防止を図ることができる。
【００１６】
この摺動部材４０は、ゴム弾性を有する材料で形成するのが好ましく、特に、天然あるいは合成ゴム、エラストマーの他、ＡＢＳ、ナイロン、ポリオキシメチレン（ＰＯＭ）、ポリカーボネート（ＰＣ）等の樹脂で形成することが好ましい。また、小径部４２と大径部４４とで形成される本体部に対して、突部４６をこれと異なる材料で形成することも可能である。
【００１７】
なお、図２に符号１５で示すようなＯリングを、尻栓１４と元竿管１２との間に介挿してもよい。このＯリング１５は、尻栓１４と元竿管１２との間のシール作用と共に、その軸方向の付勢力で尻栓１４の緩み止め作用をなす。このようなＯリング１５は省略することも可能であり、この場合には、摺動部材４０でシール作用を行うことも可能である。
【００１８】
図４は、他の実施形態による摺動部材４０Ａを示す。なお、以下に説明する種々の実施形態あるいは変形例は、基本的には上述の実施形態と同様であるため、上述の部材と同様な部材には同様な符号を付し、その詳細な説明を省略する。
図４に示す摺動部材４０Ａでは、突部４６は、図４の（Ｂ）に矢印Ａで示す尻栓１４の締め付け方向側に形成された緩傾斜面４７と、これとは反対の戻し方向側に形成された急傾斜面４５とで形成してある。このため、尻栓１４と共に摺動部材４０Ａが矢印Ａで示す締め付け方向に回転すると、この突部４６は、開放部２８の内面と緩傾斜面４７で接触し、この内面の微小な凹凸を簡単に乗り上げることができ、摩擦抵抗が小さく、したがって摺動部材４０Ａが元竿管１２から大きな摺動抵抗を受けることはない。逆に、尻栓１４と共に摺動部材４０Ａを矢印Ａと逆の戻し方向に回転すると、急傾斜面４５が開放部２８の内面から大きな摩擦抵抗を受け、したがって、図３に示す摺動部材４０と同様に、戻し方向で大きな摺動抵抗が形成される。
【００１９】
図５および図６は、更に他の実施形態による摺動部材４０Ｂを示す。
この実施形態の摺動部材４０Ｂは、半径方向外方に付勢され、本体部の大径部４４から突出する突起４８を有する。この突起４８は締め付け方向および戻し方向の双方を同様な曲面で形成してある。一方、尻栓１４が螺合する元竿管１２の開放部２８の内面には、図６に示すように、軸方向に延びる多数の軸方向溝５０を形成してある。この軸方向に溝５０は、尻栓１４の矢印Ａで示す締め付け方向側に形成された緩傾斜面５１と、これとは逆の戻し方向側に形成された急傾斜面４９とを有し、この緩傾斜面５１は、突起４８に対して小さな摺動抵抗を形成し、急傾斜面４９は、突起４８に対して大きな摺動抵抗を形成する。このような突起４８は、図示のように１つに限らず、複数設けてもよい。
【００２０】
この実施形態における摺動部材４０Ｂも、上述の実施形態と同様に、尻栓１４の締め付け方向の摺動抵抗が小さく、戻し方向の摺動抵抗が大きな安定した固定力を通じて尻栓１４の緩みを確実に防止することができる。
【００２１】
なお、上述の種々の実施形態では、摺動部材４０，４０Ａ，４０Ｂの本体部を、小径部４２と大径部４４とで形成し、この小径部４２を筒状部３４内に挿入して接着等により固定しているが、このような小径部を設けることなく、筒状部３４の端面に接着し、あるいは尻竿リング３０と一体成形してもよい。
また、図６に示すような軸方向溝５０を、図３および図４に示す摺動部材４０，４０Ａと組み合わせて用いることも可能である。この場合には、軸方向溝５０は締め付け方向および戻し方向側の双方を同様な傾斜面あるいは湾曲面で形成することもできる。
更に、上述の摺動部材は、尻栓１４に限らず、例えばリール脚固定装置の締め付け用ナット等、互いに螺合する２つの部材を備えるものであれば、適宜の部材に適用可能である。
【００２２】
【発明の効果】
以上明らかなように、本発明によると、釣り用具をセッティングする際の操作性の向上を図ると共に、確実なセッティングによる緩みの防止を図ることのできる釣り用具が提供される。
【図面の簡単な説明】
【図１】本発明の好ましい実施形態による釣竿の概略図。
【図２】図１の釣竿の竿尻部を一部断面で示す拡大図。
【図３】図２の竿尻部に用いた摺動部材を示し（Ａ）は縦方向断面図、（Ｂ）は（Ａ）のＢ−Ｂ線方向から見た図。
【図４】他の実施形態による摺動部材を示す図３と同様な説明図。
【図５】更に他の実施形態による摺動部材の図３と同様な説明図。
【図６】図５の摺動部材との組合せに適した元竿管の軸方向溝の説明図。
【符号の説明】
１２…元竿管、１４…尻栓、４０…摺動部材、４２…小径部、４４…大径部、４６…突部。
【図１】
2004254607.tif 000003
【図２】
2004254607.tif 000004
【図３】
2004254607.tif 000005
【図４】
2004254607.tif 000006
【図５】
2004254607.tif 000007
【図６】
2004254607.tif 000008